(57)【要約】  大規模災害に遭遇した時被災地域に残されたインフラや調達できる代替え機材や代替え方法も組み合わせて活用し被災者とその関係者が安否情報を迅速に共有できるようにすることを課題とする。  グループと、各グループの構成員の家族の個人情報（個人識別番号など）をもとに、個人を識別する個人識別番号と携帯端末の接続先であるＵＲＬ情報をエンコードして二次元コード化したマークを貼ったシールを、複数個、家族の人数分、二次元行列状に配置したシートを、グループの各員に配布し、グループと、その家族は、配布されたシートに貼付された各人のシールを、携行品に貼付し、緊急時、携帯端末で、シールのマークの二次元コードを読み取り、安否管理サーバに接続し、個人識別番号を送付し、安否管理サーバは、受信した個人識別番号に対応する安否情報を登録することにより、グループと、そのグループの家族の安否を確認できるようにすることで課題を解決した。
2014007149.tif 000002
【特許請求の範囲】
【請求項１】
グループと、各グループ構成員の家族の基本個人情報（家族名、家族番号、個人名、個人識別番号）をもとに、個人を識別する個人識別番号と携帯端末の接続先であるＵＲＬ情報をエンコードして二次元コード化したマークを貼ったシールを、複数個、家族の人数分、二次元状に配置したシートと、
シールを読み取り、ＵＲＬ情報にもとづき、安否管理サーバに接続し、通信する携帯端末と、
グループと、各グループの構成員の家族の基本個人情報と安否情報の安否確認データベースを有する安否管理サーバとからなり、
安否管理サーバを管理するサービス管理者は、グループ構成員に、各グループ構成員の家族のシートを配布し、グループ構成員と、その家族は、配布されたシートに貼付されたシールを剥がして、各人のシールを、携行品に貼付し、
緊急時、本人又は、他人の携帯端末で、シールのマークの二次元コードを読み取り、その読み取った、ＵＲＬ情報にもとづき、安否管理サーバに接続し、個人識別番号、無事かを示す安否情報を送付し、安否管理サーバは、受信した個人識別番号に対応する安否確認データベースに安否情報を登録することにより、グループと、そのグループ構成員の家族の安否を確認できるようにしたことを特徴とする安否確認システム。
【発明の詳細な説明】
【技術分野】
【０００１】
本発明は、大規模災害発生時に人の安否を簡単、確実、迅速に共有できるようにする技術に関する。  
【背景技術】
【０００２】
２０１１年３月１１日の東日本大震災では、従来の有線電話及び無線電話による安否確認方法は津波によりインフラが損壊し安否情報の需要を満たすことはできなかった。【０００３】
安否確認システムで重要なことは「今、あの人は、無事なのか」という事を簡単、確実、迅速に共有できることである。【０００４】
特開２００４−１３９３３６号に、安否確認システムとして被災者が被災時などに近くの電柱の識別情報および自己を識別する個人識別番号をセンタに連絡してサーバに登録し被災者の詳細な場所を含む安否情報を共有可能にする方法が表示されている。
【先行技術文献】
【特許文献】
【０００５】
【特許文献１】特開２００４−１３９３３６号公報
【発明の概要】
【発明が解決しようとする課題】
【０００６】
本発明は、大規模災害に遭遇した、会社や学校のグループの被災者とその家族が長時間且つ広域な電源喪失や利用不能な通信設備や携帯端末が、まだら模様に点在する状況に置かれた時でも、被災地域に残されたインフラや調達できる代替え機材や利用できる代替え手段や方法を災害後に組み合わせて運用することで被災者とその家族が安否情報を共有できる安否確認システムを提供する事を目的とする。
【課題を解決するための手段】
【０００７】
グループと、各グループ構成員の家族の個人情報（家族名、家族番号、個人名、個人識別番号）をもとに、個人を識別する個人識別番号と携帯端末の接続先であるＵＲＬ情報をエンコードして二次元コード化したマークを貼ったシールを、複数個、家族の人数分、二次元行列状に配置したシートを、グループの各構成員に配布し、グループ構成員と、その家族は、配布されたシートに貼付された各人のシールを、携行品に貼付し、緊急時、本人又は、他人の携帯端末で、シールのマークの二次元コードを読み取り、その読み取ったＵＲＬ情報にもとづき、安否管理サーバに接続し、個人識別番号を送付し、安否管理サーバは、受信した個人識別番号に対応する安否情報を登録することにより、グループと、そのグループの家族の安否を確認することを特徴とする。
【発明の効果】
【０００８】
グループ構成員の家族を識別するシールを貼ったシートを配布し、そのシートに貼られた、各人を識別するシールを、携帯端末で読み取り、安否管理サーバに個人識別番号を送付することで、容易にグループ、家族、個人の安否を確認できる。
【図面の簡単な説明】
【０００９】
【図１】本発明の安否確認システムの説明図である。
【図２】本発明の安否確認のフローチャートである。
【図３】シートの説明図である。
【発明を実施するための形態】
【００１０】
図１から図３を用いて本発明の実施形態及び方法を説明する。
【００１１】
本発明の安否確認システムでは、学校や会社などのグループの構成員と、そのグループの構成員の家族の両方の安否情報を得ることを目的とする。図１において、家族Ａは、グループに所属していて、あるグループの構成員である。グループの構成員ごとに家族が存在する。個人Ａ、Ｂ、Ｃで一つの家族を構成する。
【００１２】
安否管理サーバの情報をもとに安否情報を管理し、サービスするサービス管理者は、予め、グループの構成員の全員と、グループの構成員の家族の基本個人情報（家族名、家族番号、個人名、個人識別番号等）を収集し蓄積する。個人識別番号は、保険番号や、政府が推進しているマイーナンバなどの個人を一意に識別する番号又は記号である。サービス管理者は、当該、個人情報をもとに、家族単位で、家族全員について、個人識別番号と、サーバのＵＲＬコード等を二次元コード化したマークを印字したシールを、家族の各人に対して複数枚、貼付したシートを配布する。図３は、家族単位で配布されるシート１１の構成例を示す。シート１１の上部には、家族名が印字される。各行の先頭には、家族の名前が印字される。同行には、同一の個人識別番号で、二次元コード化したマークを印字した、同じシールを、列Ａから列Ｅまで印字する。
シートの各シールは、シートから切り離すか、剥がして、家族の各人に配布できるようになっている。
【００１３】
安否確認データベースは、グループの構成員と、その構成員の家族について、各人の基本個人情報（家族名、家族番号、個人名、個人識別番号）、及び、安否情報（最終安否確認時刻、安否フラグ）を蓄積する。サービス管理者が、予め、各人の基本個人情報を収集して安否確認データベースに蓄積する。基本個人情報は、秘密であるので、各人が、携帯端末から、安否管理サーバに送付して、基本個人情報を安否確認データベースに登録してもよい。
【００１４】
サービス管理者は、家族単位のシート１１をグループの構成員に配布する。
【００１５】
シートを受け取ったグループの構成員Ａは、シートに印字されている名前に従って、その名前の行のシールを、家族全員に配る。例えば、一行目が構成員Ａ、二行目が構成員Ｂ、三行目が構成員Ｃであれば、それぞれの行のシールを、構成員Ａ、構成員Ｂ、構成員Ｃに配る。構成員Ａ、Ｂ、Ｃは、自分のシールを、服や、鞄などの携帯端末で読み取り易い個所に貼る。このようにして、他のグループ構成員の家族を含めた全関係者は自分のシールを通学定期券、身分証明書、メガネのケース、携帯電話、かばん、家の鍵のキーホルダ、時計の裏蓋、服の裏地、手帳、車のキー、免許証、財布、通勤定期など、各人がいつも持っている可能性の高い携行品を選んで貼って何時も持ち歩くことができる
【００１６】
本番の災害に遭遇すれば、家族を含めた全関係者は自分の持ち物の中からシール１の付いている携行品を取り出し、自分の携帯端末２または第三者の携帯端末の二次元コードリーダを立ち上げ、自分のシール１をその携帯端末２で読み取って通信網3を経由して、自分の無事を、安否管理サーバ４に送信する。そうすることによって、自分が無事であることが、安否管理サーバ４に登録される。
【００１７】
グループの構成員には、夫々、家族があり、災害発生後、各構成員は、携帯端末の二次元コードリーダを立ち上げ、自分のシール１をその携帯端末２で読み取って、安否管理サーバに接続し、安否情報を送信し登録する。それにより、グループや、家族の安否も確認できる。
【００１８】
通信網３は、多くの携帯端末２と安否管理サーバ４を接続する情報通信網である。
【００１９】
安否管理サーバ４は、送信されてきた個人識別番号をキーにして、安否確認データベース
をサーチして個人識別番号に対応して、安否確認時刻や、安全の連絡があったことを示す安否フラグを登録する。不特定の避難場所に避難している人の所在を把握しやすくするために、携帯端末２が、安否管理サーバに送信する情報に携帯端末２が取得できるＧＰＳ情報を付加できる。
【００２０】
安否管理サーバ４は、該サーバを構成するＣＰＵ上でプログラムを実行させて各種処理を実行するものであって、携帯端末２から送信されてきた個人識別番号を受信し安否管理サーバ４の安否情報データベースからそれらに対応するデータを検索して、前記検索した個人識別番号に対応させて、安否情報を蓄積する。安否管理サーバ４は、受信した個人識別番号に対応したグループの構成員や、その家族の安否情報を返信する。
【００２１】
図２のフローチャートに従って、個人Ａの安否確認方法を説明する。大災害が発生すれば、Ａ、Ｂ、Ｃは自分の持ち物の中からシール１の付いている携行品を取り出し、自分の携帯端末２または第三者の携帯端末２の二次元コードリーダを立ち上げ、各々自分が携帯しているシール１をその携帯端末２で読み取って送信する。そうすることによってＡ、Ｂ、Ｃの個人識別番号は通信網3を経由して、安否管理サーバ４に届き、安否確認データベースに安否情報が登録される。それにより、グループ全員と家族の安否情報が共有できる。
【００２２】
Ｓ１において安否確認作業を開始する。
【００２３】
Ｓ２において個人Ａ、Ｂ、Ｃの携帯端末２（他人のでもよい）の二次元コードリーダを起動させる。
【００２４】
Ｓ３において本システムを利用する個人Ａ、Ｂ、Ｃは、各個人に相当するシールが、被服などに貼られているので、例えば、個人Ａのシール１を携帯端末で読み取る。
【００２５】
Ｓ４において起動させたＡ、Ｂ、Ｃの携帯端末２の二次元コードリーダでもって、開示したＡ、Ｂ、Ｃのシール１の二次元コードを読み取り、読み取ったＵＲＬ情報を用いて、携帯端末２は通信網３を経由して安否管理サーバ４に接続し、個人識別番号、安否情報等を送信する。
【００２６】
Ｓ５において送信された個人識別番号を安否管理サーバ４は受信する。
【００２７】
Ｓ６において受信した個人識別番号をもとに、安否情報データベースを検索し一致があれば安否情報データベースに「個人識別番号」に対応して最終安否確認時刻を登録する。
【００２８】
Ｓ７においてサービス管理者は、安否管理サーバ４に届いたグループ、又はそのグループ構成員の家族の最新の安否情報を管理し、現状を把握し、必要な各人に現状の安否情報を送信する。
【００２９】
Ｓ８において各個人の安否確認作業は終了する。
【００３０】
配布が済んだ時点で、グループとそのグループ構成員とグループ構成員の家族は、安否管理サーバ４においてお互いが紐付けられているので、だれでも、いつでも、自分のシールを携帯端末で読み取って送信すれば、グループ、又は、自分の家族が、紐付けられている関係に従って安否情報が共有できる。
【産業上の利用可能性】
【００３１】
迅速な避難の習慣を身に付けさすための避難訓練の避難所要時間の計測手法として利用することで防災力を向上させることができる。
【符号の説明】
【００３２】
Ａ    個人
Ｂ    個人
Ｃ    個人
１    シール
２    携帯端末
３    通信網
４    安否管理サーバ
１１  シート
【図１】
2014007149.tif 000003
【図２】
2014007149.tif 000004
【図３】
2014007149.tif 000005
【手続補正書】
【提出日】平成27年9月30日(2015.9.30)
【手続補正１】
【補正対象書類名】特許請求の範囲
【補正対象項目名】全文
【補正方法】変更
【補正の内容】
【特許請求の範囲】
【請求項１】
グループ構成員と各グループ構成員の家族の基本個人情報（家族名、家族番号、個人名、個人識別番号）をもとに、
個人を識別する個人識別番号と携帯端末の接続先であるＵＲＬ情報をエンコードして二次元コード化したマークを貼ったシールを、
グループ構成員と各グループ構成員の家族は、
安否管理サーバにおいてお互いが紐付けられているので、
紐付けられている関係に従って、
グループ構成員と各グループ構成員の家族の人数分、且つ、
グループ構成員と各グループ構成員の家族一人ずつに、複数枚を、
二次元行列状に配置したシートと、
シールを読み取り、ＵＲＬ情報にもとづき、安否管理サーバに接続し、通信する本人の携帯端末、又は、他人の携帯端末と、
グループ構成員と各グループ構成員の家族の基本個人情報、及び、安否情報を蓄積する安否確認データベースを有する安否管理サーバとからなり、
安否管理サーバを管理するサービス管理者は、
グループ構成員に、
各グループ構成員の家族のシートを配布し、
グループ構成員と各グループ構成員の家族は、
配布されたシートに貼付されたシールを剥がして、
各人のシールを、携行品に貼付し、
緊急時、
本人の携帯端末、又は、他人の携帯端末で、
シールのマークの二次元コードを読み取り、
その読み取った、ＵＲＬ情報にもとづき、安否管理サーバに接続し、
個人識別番号、無事かを示す安否情報を送付し、
安否管理サーバは、受信した個人識別番号に対応する安否確認データベースに安否情報を登録することにより、
グループ構成員と各グループ構成員の家族の安否情報を共有できるようにした
ことを特徴とする安否確認システム。
【手続補正２】
【補正対象書類名】明細書
【補正対象項目名】全文
【補正方法】変更
【補正の内容】
【発明の詳細な説明】
【技術分野】
【０００１】
本発明は、大規模災害発生時に人の安否を簡単、確実、迅速に共有できるようにする技術に関する。
【背景技術】
【０００２】
２０１１年３月１１日の東日本大震災では、従来の有線電話及び無線電話による安否確認方法は津波によりインフラが損壊し安否情報の需要を満たすことはできなかった。
【０００３】
安否確認システムで重要なことは「今、あの人は、無事なのか」という事を簡単、確実、迅速に共有できることである。
【０００４】
特開２００４−１３９３３６号に、安否確認システムとして被災者が被災時などに近くの電柱の識別情報および自己を識別する個人識別番号をセンターに連絡してサーバに登録し被災者の詳細な場所を含む安否情報を共有可能にする方法が表示されている。
【先行技術文献】
【特許文献】
【０００５】
特許文献１：特開２００４−１３９３３６号公報
【発明の概要】
【発明が解決しようとする課題】
【０００６】
本発明は、大規模災害に遭遇した、会社や学校のグループの被災者とその家族が長時間且つ広域な電源喪失や利用不能な通信設備や携帯端末が、まだら模様に点在する状況に置かれた時でも、被災地域に残されたインフラや調達できる代替え機材や利用できる代替え手段や方法を災害後に組み合わせて運用することで被災者とその家族が安否情報を共有できる安否確認システムを提供する事を目的とする。
【課題を解決するための手段】
【０００７】
グループ構成員と各グループ構成員の家族の基本個人情報（家族名、家族番号、個人名、個人識別番号）をもとに、
個人を識別する個人識別番号と携帯端末の接続先であるＵＲＬ情報をエンコードして二次元コード化したマークを貼ったシールを、
グループ構成員と各グループ構成員の家族は、安否管理サーバにおいてお互いが紐付けられているので、紐付けられている関係に従って、
グループ構成員と各グループ構成員の家族の人数分、且つ、
グループ構成員と各グループ構成員の家族一人づつに、複数枚を、
二次元行列状に配置したシートと、
シールを読み取り、ＵＲＬ情報にもとづき、安否管理サーバに接続し、通信する本人の携帯端末、又は、他人の携帯端末と、
グループ構成員と各グループ構成員の家族の基本個人情報、及び、安否情報を蓄積する安否確認データベースを有する安否管理サーバとからなり、
安否管理サーバを管理するサービス管理者は、グループ構成員に、各グループ構成員の家族のシートを配布し、グループ構成員と、各グループ構成員の家族は、配布されたシートに貼付されたシールを剥がして、各人のシールを、携行品に貼付し、
緊急時、
本人の携帯端末、又は、他人の携帯端末で、
シールのマークの二次元コードを読み取り、その読み取った、ＵＲＬ情報にもとづき、安否管理サーバに接続し、個人識別番号、無事かを示す安否情報を送付し、
安否管理サーバは、受信した個人識別番号に対応する安否確認データベースに安否情報を登録することにより、グループ構成員と各グループ構成員の家族の安否情報を共有できるようにしたことを特徴とする。
【発明の効果】
【０００８】
グループ構成員と各グループ構成員の家族を識別するシールを貼ったシートを配布し、そのシートに貼られた、各人を識別するシールを、携帯端末で読み取り、安否管理サーバに個人識別番号を送付することで、容易にグループ構成員と各グループ構成員の家族の安否情報を共有できる。
【図面の簡単な説明】
【０００９】
【図１】本発明の安否確認システムの説明図である。
【図２】本発明の安否確認のフローチャートである。
【図３】シートの説明図である。
【発明を実施するための形態】
【実施例１】
【００１０】
図１から図３を用いて本発明の実施形態及び方法を説明する。
【００１１】
本発明の安否確認システムでは、学校や会社などのグループ構成員と各グループ構成員の家族の両方の安否情報を得ることを目的とする。
図１において、１−Ａは、グループに所属していて、あるグループの構成員であり、
且つ、家族１の一員である。グループ構成員ごとに家族が存在する。１−Ａ、１−Ｂ、１−Ｃで一つの家族を構成する。
【００１２】
安否管理サーバの情報をもとに安否情報を管理し、サービスするサービス管理者は、予め、グループ構成員の全員と、グループ構成員の家族の基本個人情報（家族名、家族番号、個人名、個人識別番号等）を収集し蓄積する。個人識別番号は、保険番号や、政府が推進しているマイーナンバなどの個人を一意に識別する番号又は記号である。
サービス管理者は、当該、基本個人情報をもとに、家族単位で、家族全員について、個人識別番号と、サーバのＵＲＬコード等を二次元コード化したマークを印字したシール１を、家族の各人に対して、複数枚ずつ配布する。
図３は、家族単位で配布されるシート１１の構成例を示す。シート１１の上部には、家族名が印字される。各行の先頭には、家族の名前が印字される。
同行には、同一の個人識別番号で、二次元コード化したマークを印字した、同じシールを、列１から列５まで印字する。シートの各シールは、シートから切り離すか、剥がして、家族の各人に配布できるようになっている。
【００１３】
安否確認データベースは、グループ構成員と各グループ構成員の家族について、各人の基本個人情報（家族名、家族番号、個人名、個人識別番号）、及び、安否情報（最終安否確認時刻、安否フラグ）を蓄積する。サービス管理者が、予め、各人の基本個人情報を収集して安否確認データベースに蓄積する。基本個人情報は、秘密であるので、各人が、携帯端末から、安否管理サーバに送付して、基本個人情報を安否確認データベースに登録してもよい。
【００１４】
サービス管理者は、家族単位のシート１１をグループ構成員に配布する。
【００１５】
シートを受け取ったグループ構成員である１−Ａは、シートに印字されている名前に従って、その名前の行のシールを、家族全員に配る。例えば、一行目が１−Ａ、二行目が１−Ｂ、三行目が１−Ｃであれば、それぞれの行のシールを、１−Ａ、１−Ｂ、１−Ｃに配る。１−Ａ、１−Ｂ、１−Ｃは、自分のシールを、服や、鞄などの携帯端末で読み取り易い個所に貼る。このようにして、他のグループ構成員の家族を含めた全関係者は自分のシールを通学定期券、身分証明書、メガネのケース、携帯電話、かばん、家の鍵のキーホルダ、時計の裏蓋、服の裏地、手帳、車のキー、免許証、財布、通勤定期など、各人がいつも持っている可能性の高い携行品を選んで貼って何時も持ち歩くことができる
【００１６】
本番の災害に遭遇すれば、家族を含めた全関係者は自分の持ち物の中からシール１の付いている携行品を取り出し、自分の携帯端末２、または他人の携帯端末の二次元コードリーダを立ち上げ、自分のシール１をその携帯端末２で読み取って通信網３を経由して、自分の無事を、安否管理サーバ４に送信する。そうすることによって、自分が無事であることが、安否管理サーバ４に登録される。
【００１７】
グループ構成員には、夫々、家族があり、災害発生後、グループ構成員と各グループ構成員の家族は、自分の携帯端末２、または他人の携帯端末の二次元コードリーダを立ち上げ、自分のシール１をその携帯端末２で読み取って、安否管理サーバに接続し、安否情報を送信し登録する。それにより、グループ構成員と各グループ構成員の家族の安否も共有できる。
【００１８】
通信網３は、多くの携帯端末２と安否管理サーバ４を接続する情報通信網である。
【００１９】
安否管理サーバ４は、送信されてきた個人識別番号をキーにして、安否確認データベースをサーチして個人識別番号に対応して、安否確認時刻や、安全の連絡があったことを示す安否フラグを登録する。不特定の避難場所に避難している人の所在を把握しやすくするために、携帯端末２が、安否管理サーバに送信する情報に携帯端末２が取得できるＧＰＳ情報を付加できる。
【００２０】
安否管理サーバ４は、該サーバを構成するＣＰＵ上でプログラムを実行させて各種処理を実行するものであって、携帯端末２から送信されてきた個人識別番号を受信し安否管理サーバ４の安否情報データベースからそれらに対応するデータを検索して、前記検索した個人識別番号に対応させて、安否情報を蓄積する。安否管理サーバ４は、受信した個人識別番号に対応したグループ構成員やグループ構成員の家族の安否情報を返信する。
【００２１】
図２のフローチャートに従って、１−Ａの安否確認方法を説明する。大災害が発生すれば、１−Ａ、１−Ｂ、１−Ｃは自分の持ち物の中からシール１の付いている携行品を取り出し、自分の携帯端末２、または他人の携帯端末２の二次元コードリーダを立ち上げ、各々自分が携帯しているシール１をその携帯端末２で読み取って送信する。そうすることによって１−Ａ、１−Ｂ、１−Ｃの個人識別番号は通信網３を経由して、安否管理サーバ４に届き、安否確認データベースに安否情報が登録される。それにより、１−Ａはグループ全員と家族の安否情報が共有できる。
【００２２】
Ｓ１において、安否確認作業を開始する。
【００２３】
Ｓ２において、１−Ａ、１−Ｂ、１−Ｃの携帯端末２（他人のでもよい）の二次元コードリーダを起動させる。
【００２４】
Ｓ３において、本システムを利用する１−Ａ、１−Ｂ、１−Ｃは、各個人に相当するシールが、被服などに貼られているので、例えば、１−Ａのシールを自分の携帯端末２、または他人の携帯端末で読み取る。
【００２５】
Ｓ４において、起動させた１−Ａ、１−Ｂ、１−Ｃの携帯端末２、または他人の携帯端末２の二次元コードリーダでもって、開示した１−Ａ、１−Ｂ、１−Ｃのシールの二次元コードを読み取り、読み取ったＵＲＬ情報を用いて、携帯端末２は通信網３を経由して安否管理サーバ４に接続し、個人識別番号、安否情報等を送信する。
【００２６】
Ｓ５において、送信された個人識別番号を安否管理サーバ４は受信する。
【００２７】
Ｓ６において、受信した個人識別番号をもとに、安否情報データベースを検索し一致があれば安否情報データベースに「個人識別番号」に対応して最終安否確認時刻を登録する。
【００２８】
Ｓ７において、サービス管理者は、安否管理サーバ４に届いたグループ構成員と各グループ構成員の家族の最新の安否情報を管理し、現状を把握し、必要な各人に現状の安否情報を送信する。
【００２９】
Ｓ８において各個人の安否確認作業は終了する。
【００３０】
配布が済んだ時点で、グループ構成員と各グループ構成員の家族は、安否管理サーバ４においてお互いが紐付けられているので、だれでも、いつでも、自分のシールを携帯端末で読み取って送信すれば、グループ構成員、又は、グループ構成員の家族は、紐付けられている関係に従って安否情報が共有できる。
産業上の利用可能性
【００３１】
迅速な避難の習慣を身に付けさすための避難訓練の避難所要時間の計測手法として利用することで防災力を向上させることができる。
符号の説明
【００３２】
１−Ａ    家族１の一員、且つ、グループの構成員
１−Ｂ    家族１の一員
１−Ｃ    家族１の一員
１        シール
２        携帯端末
３        通信網
４        安否管理サーバ
１１      シート
【手続補正３】
【補正対象書類名】図面
【補正対象項目名】全図
【補正方法】変更
【補正の内容】
【図１】
2014007149.tif 000006
【図２】
2014007149.tif 000007
【図３】
2014007149.tif 000008
【国際調査報告】
2014007149.tif 000009
2014007149.tif 000010